(57)【要約】【課題】構造の複雑化を抑えつつ多様な機能を実装する。【解決手段】寝台装置は、背ボトム１８を有する寝台１１と；寝台１１の上方に位置して左右方向に延びる回動軸２２回りに背ボトム１８を回動自在に保持する回動機構２５を有し、寝台１１を支持する支持架台１２と；を備え、回動機構２５が、背ボトム１８に連結された可動部材３３と、可動部材３３に回動軸２２を介して連結された固定部材３４と、を備え；可動部材３３または固定部材３４に、可動部材３３および固定部材３４の回動軸２２回りの相対的な位置関係に基づいて、背ボトム１８の回動角度を表示する角度表示部５０が設けられている。【選択図】図７
2017046827.tif 000002
【特許請求の範囲】
【請求項１】
背ボトムを有する寝台と；
前記寝台の上方に位置して左右方向に延びる回動軸回りに前記背ボトムを回動自在に保持する回動機構を有し、前記寝台を支持する支持架台と；を備え、
前記回動機構が、前記背ボトムに連結された可動部材と、前記可動部材に前記回動軸を介して連結された固定部材と；を備え、
前記可動部材または前記固定部材に、前記可動部材および前記固定部材の前記回動軸回りの相対的な位置関係に基づいて、前記背ボトムの回動角度を表示する角度表示部が設けられている
ことを特徴とする寝台装置。
【請求項２】
前記支持架台が、前記回動機構を介して前記背ボトムが連結されて前記寝台の荷重を受け止める架台本体を備え；
前記固定部材が、前記架台本体に固定されている
ことを特徴とする請求項１に寝台装置。
【請求項３】
前記角度表示部が、左右方向の外側に露出している
ことを特徴とする請求項１または２に記載の寝台装置。
【請求項４】
前記回動機構のうち、前記寝台の上方に位置する部分が、前記寝台によって支持されるマットレスに左右方向に対向することで前記マットレスの左右方向の移動を規制する規制機構を兼ねている
ことを特徴とする請求項１から３のいずれか１項に記載の寝台装置。
【請求項５】
背ボトムを有する寝台と；
前記寝台の上方に位置して左右方向に延びる回動軸回りに前記背ボトムを回動自在に保持する回動機構を有し、前記寝台を支持する支持架台と；を備え、
前記回動機構のうち、前記寝台の上方に位置する部分が、前記寝台によって支持されるマットレスに左右方向に対向することで前記マットレスの左右方向の移動を規制する規制機構を兼ねている
ことを特徴とする寝台装置。
【請求項６】
前記規制機構が、前記寝台における左右方向の端縁と左右方向に同等の位置に配置されている
ことを特徴とする請求項４または５に記載の寝台装置。
【請求項７】
前記回動機構に、医療器具を係止する係止部が設けられている
ことを特徴とする請求項１から６のいずれか１項に記載の寝台装置。
【発明の詳細な説明】
【技術分野】
【０００１】
本発明は、寝台装置に関する。
【背景技術】
【０００２】
従来から、例えば下記特許文献１に示す寝台装置が知られている。寝台装置は、背ボトムを有する寝台と、寝台の上方に位置して左右方向に延びる回動軸回りに背ボトムを回動自在に保持する回動機構を有し、寝台を支持する支持架台と、を備えている。
前記寝台装置では、回動軸が寝台の上方に位置することで、寝台上の使用者の大転子に回動軸が接近する。これにより、背ボトムが回動軸回りに回動するときに、使用者の圧迫感が低減される。
【先行技術文献】
【特許文献】
【０００３】
【特許文献１】特開２００６−３４０９６２号公報
【発明の概要】
【発明が解決しようとする課題】
【０００４】
ところで近年、構造の複雑化を抑えつつ多様な機能を実装することができる寝台装置が望まれている。
【０００５】
本発明は、前述した事情に鑑みてなされたものであって、構造の複雑化を抑えつつ多様な機能を実装することを目的とする。
【課題を解決するための手段】
【０００６】
前記課題を解決するために、本発明は以下の手段を提案している。
（１）本発明に係る寝台装置は、背ボトムを有する寝台と；前記寝台の上方に位置して左右方向に延びる回動軸回りに前記背ボトムを回動自在に保持する回動機構を有し、前記寝台を支持する支持架台と；を備え、前記回動機構が、前記背ボトムに連結された可動部材と、前記可動部材に前記回動軸を介して連結された固定部材と、を備え；前記可動部材または前記固定部材に、前記可動部材および前記固定部材の前記回動軸回りの相対的な位置関係に基づいて、前記背ボトムの回動角度を表示する角度表示部が設けられていることを特徴とする。
【０００７】
（２）上記（１）に記載の寝台装置では、前記支持架台が、前記回動機構を介して前記背ボトムが連結されて前記寝台の荷重を受け止める架台本体を備え；前記固定部材が、前記架台本体に固定されている構成を採用してもよい。
【０００８】
これらの発明では、回動機構に、可動部材および固定部材の回動軸回りの相対的な位置関係に基づいて、背ボトムの回動角度を表示する角度表示部が設けられている。したがって、構造の複雑化を抑えつつ、背ボトムの回動角度を把握することが可能になり、多様な機能を実装することができる。
【０００９】
（３）上記（１）または（２）に記載の寝台装置では、前記角度表示部が、左右方向の外側に露出している構成を採用してもよい。
【００１０】
この場合、角度表示部が、左右方向の外側に露出しているので、角度表示部による背ボトムの回動角度の表示を、寝台装置に対する左右方向の外側から容易に把握することができる。
【００１１】
（４）上記（１）から（３）のいずれか１つに記載の寝台装置では、前記回動機構のうち、前記寝台の上方に位置する部分が、前記寝台によって支持されるマットレスに左右方向に対向することで前記マットレスの左右方向の移動を規制する規制機構を兼ねている構成を採用してもよい。
【００１２】
（５）本発明に係る寝台装置は、背ボトムを有する寝台と；前記寝台の上方に位置して左右方向に延びる回動軸回りに前記背ボトムを回動自在に保持する回動機構を有し、前記寝台を支持する支持架台と；を備え、前記回動機構のうち、前記寝台の上方に位置する部分が、前記寝台によって支持されるマットレスに左右方向に対向することで前記マットレスの左右方向の移動を規制する規制機構を兼ねていることを特徴とする。
【００１３】
これらの発明では、回動機構のうち、寝台の上方に位置する部分が、マットレスに左右方向に対向することでマットレスの左右方向の移動を規制する規制機構を兼ねている。したがって、構造の複雑化を抑えつつ、マットレスの左右方向の移動を規制することが可能になり、多様な機能を実装することができる。
【００１４】
（６）上記（４）または（５）に記載の寝台装置では、前記規制機構が、前記寝台における左右方向の端縁と左右方向に同等の位置に配置されている構成を採用してもよい。
【００１５】
この場合、規制機構が、寝台における左右方向の端縁と左右方向に同等の位置に配置されているので、マットレスの移動を効果的に規制することができる。
【００１６】
（７）上記（１）から（６）のいずれか１つに記載の寝台装置では、前記回動機構に、医療器具を係止する係止部が設けられている構成を採用してもよい。
【００１７】
この場合、回動機構に、医療器具を係止する係止部が設けられているので、構造の複雑化を抑えつつ、さらに多様な機能を実装することができる。
【発明の効果】
【００１８】
本発明によれば、構造の複雑化を抑えつつ多様な機能を実装することができる。
【図面の簡単な説明】
【００１９】
【図１】本発明の一実施形態に係る寝台装置を左右方向から見た側面図である。
【図２】図１に示す寝台装置の上面図である。
【図３】図１に示す寝台装置の下面図である。
【図４】図１に示す寝台装置を脚側から見た側面図である。
【図５】図１に示す寝台装置を構成する背ボトムおよび脚ボトムを回動させた状態を示す斜視図である。
【図６】図１に示す寝台装置を構成する第１回動機構を拡大した側面図である。
【図７】図１に示す寝台装置を構成する第１回動機構を拡大した側面図であって、背ボトムを回動させた状態を示す図である。
【図８】図１に示す寝台装置を構成する第１回動機構の要部を拡大した上面図である。
【発明を実施するための形態】
【００２０】
本発明の一実施形態に係る寝台装置１０を、図面に基づいて以下に説明する。寝台装置１０は、例えば、医療環境下（介護環境下を含む）において利用することができる。図１から図８において、矢印Ｈは人（使用者）が寝る際に頭側となる向きを示し、また矢印Ｆは人が寝る際に脚側となる向きを示している。以下の説明においては、矢印Ｈ、Ｆの方向である前後方向に対して直交する水平方向を左右方向と言う場合が有る。
【００２１】
図１から図５に示すように、寝台装置１０は、寝台１１と、支持架台１２と、ボード１３と、駆動機構１４と、を備えている。なお図５では、駆動機構１４の図示を省略している。
寝台１１は、長尺でかつ複数並設されることで寝台面１５を形成するパネル部材１６を備えている。各パネル部材１６は、互いに同等の形状でかつ同等の大きさに形成されている。各パネル部材１６は、左右方向（パネル部材が延びるパネル長手方向）に延びる長尺な板状に形成され、各パネル部材１６の表裏面は、上下方向を向いている。パネル部材１６は、前後方向に複数並設されている。各パネル部材１６は、駆動機構１４によって寝台１１が背上げまたは膝上げ等の変形、例えば起伏を伴う回動させられる前の標準状態において、上下方向および左右方向のいずれの方向においても同等の位置に配置され、同一平面上に配置されている。
【００２２】
各パネル部材１６の左右方向の両端部には、左右一対のカバー部材１７が設けられている。カバー部材１７は、各パネル部材１６に左右方向の外側から装着されている。カバー部材１７は、左右方向の外側に向けて突となる半楕円形状に形成されている。
複数のパネル部材１６および複数のカバー部材１７の各上面は、前述の寝台面１５を形成している。寝台面１５は、前述の標準状態において、上下方向に直交する直交面とされている。寝台面１５は、その平面視において左右方向よりも前後方向に長い矩形状に形成されている。寝台面１５の長手方向は前後方向とされ、寝台面１５の短手方向は左右方向となっている。寝台面１５上には、マットレスＭが配置される。
【００２３】
複数のパネル部材１６は、前後方向に複数のグループに区画されている。複数のパネル部材１６は、頭側Ｈから脚側Ｆに向けて、背ボトム１８と、脚ボトム１９と、の順にグループ分けされている。さらに、脚ボトム１９は、頭側Ｈから脚側Ｆに向けて、膝ボトム２０と、足ボトム２１と、の順にグループ分けされている。背ボトム１８は、寝台面１５における背に対応し、脚ボトム１９は、寝台面１５における腰から足に対応する。膝ボトム２０は、寝台面１５における腰から膝に対応し、足ボトム２１は、寝台面１５における膝から足に対応する。背ボトム１８の上面および脚ボトム１９（膝ボトム２０および脚ボトム１９）の上面はそれぞれ、寝台面１５の一部を形成している。
【００２４】
支持架台１２は、寝台１１を支持する。本実施形態では、支持架台１２が、背ボトム１８および脚ボトム１９（可動ボトム）を回動軸２２、２３回りに回動自在に支持していて、寝台装置１０は、いわゆるギャッチベットとなっている。支持架台１２は、架台本体２４と、第１回動機構２５と、第２回動機構２６と、を備えている。
架台本体２４は、寝台１１、および寝台１１上の使用者それぞれの荷重を受け止める。架台本体２４は、平面視において矩形状をなすメインフレーム２７と、メインフレーム２７から下方に向けて延びる脚部材２８と、を備えている。
【００２５】
メインフレーム２７（架台本体２４）は、左右方向に寝台１１（寝台面１５）よりも小さく、メインフレーム２７の幅（左右方向の大きさ）は、寝台１１の幅よりも狭い。メインフレーム２７の左右方向の中央部は、寝台１１の左右方向の中央部と左右方向に同等の位置に配置されている。寝台１１は、メインフレーム２７から左右方向の両側に突出している。メインフレーム２７は、寝台１１の左右方向の両端部を下方から支持可能とされている。
【００２６】
メインフレーム２７は、前後方向に延びる左右一対の縦部材３０と、左右方向に延びる前後一対の横部材３１と、を備えている。前後一対の横部材３１は、左右一対の縦部材３０を左右方向に連結している。横部材３１の左右方向の端部は、縦部材３０に連結されている。縦部材３０の前後方向の端部は、横部材３１よりも前後方向の外側に突出している。
脚部材２８は、複数備えられていて、本実施形態では、左右一対の脚部材２８が、前後方向に間隔をあけて一対配置されている。脚部材２８は、メインフレーム２７において縦部材３０と横部材３１とが連結された部分に配置されている。脚部材２８の下端部には、キャスター２９が設けられている。
【００２７】
第１回動機構２５は、背ボトム１８を第１回動軸２２回りに回動自在に保持する。第１回動機構２５は、背ボトム１８を第１回動軸２２回りに起伏回動することで、背ボトム１８の頭側Ｈを上昇させながら背ボトム１８を水平面に対して傾斜させる。第１回動機構２５は、第１被連結部材３２と、第１可動部材３３と、第１固定部材３４と、を備えている。
【００２８】
第１被連結部材３２には、背ボトム１８を形成するパネル部材１６が連結される。第１被連結部材３２は、背ボトム１８を形成する複数のパネル部材１６を一体に連結する。第１被連結部材３２は、各パネル部材１６の下面に連結されている。第１被連結部材３２は、前後方向に延びるとともに、左右方向に間隔をあけて一対配置されている。
【００２９】
第１可動部材３３は、背ボトム１８に連結されており、本実施形態では、第１被連結部材３２を介して背ボトム１８に連結されている。第１可動部材３３は、可動バー部３５と、可動プレート部３６と、を備えている。可動バー部３５は、背ボトム１８に対して脚側Ｆに位置していて、架台本体２４上に配置されている。可動バー部３５は、左右方向に直線状に延び、一対の縦部材３０上に架設されている。可動バー部３５には、第１被連結部材３２の脚側Ｆの端部が連結されている。
【００３０】
可動プレート部３６は、可動バー部３５を左右方向の両側から挟み込んで一対設けられている。各可動プレート部３６は、可動バー部３５の左右方向の端部に、左右方向の外側から連結されている。各可動プレート部３６は、第１可動部材３３の左右方向の端部を形成している。第１可動部材３３の左右方向の端部は、左右方向の外側に露出している。可動プレート部３６の上端部は、寝台面１５よりも上方に突出している。
【００３１】
第１固定部材３４は、架台本体２４に連結されている。第１固定部材３４は、固定バー部３７と、固定プレート部３８と、を備えている。固定バー部３７は、可動バー部３５に対して脚側Ｆに位置していて、架台本体２４上に配置されている。固定バー部３７は、左右方向に直線状に延び、一対の縦部材３０材上に架設されている。固定バー部３７は、各縦部材３０に連結されている。
【００３２】
固定プレート部３８は、固定バー部３７を左右方向の両側から挟み込んで一対設けられている。各固定プレート部３８は、固定バー部３７の左右方向の端部に、左右方向の外側から連結されている。各固定プレート部３８は、第１固定部材３４の左右方向の外側の端部を形成している。第１固定部材３４の左右方向の端部は、左右方向の外側に露出している。固定プレート部３８の上端部は、寝台面１５よりも上方に突出している。
【００３３】
第１固定部材３４は、左右一対の可動プレート部３６の内側に配置され、固定プレート部３８は、可動プレート部３６に左右方向の内側から隣接している。第１固定部材３４は、第１可動部材３３に第１回動軸２２を介して連結されている。第１回動軸２２は、寝台面１５の上方に位置して左右方向に延びている。第１回動軸２２は、左右一対、同軸に配置されていて、可動プレート部３６および固定プレート部３８の上端部同士を連結している。
なお、このように第１回動軸２２が寝台面１５の上方に位置することで、寝台面１５上の使用者の大転子に第１回動軸２２が接近する。これにより、背ボトム１８が第１回動軸２２回りに回動するときに、使用者の圧迫感が低減される。
【００３４】
第２回動機構２６は、脚ボトム１９を第２回動軸２３回りに回動自在に保持する。第２回動機構２６は、脚ボトム１９を第２回動軸２３回りに回動することで、脚ボトム１９において膝ボトム２０と足ボトム２１との間に位置する部分が上側に向けて突となるように、脚ボトム１９を屈曲させる。このとき、膝ボトム２０の頭側Ｈの端部が前後方向に固定された状態で、足ボトム２１の脚側Ｆの端部が架台本体２４上を頭側Ｈに移動する。
【００３５】
第２回動機構２６は、第２被連結部材３９と、第２可動部材４０と、第２固定部材４１と、を備えている。第２被連結部材３９には、脚ボトム１９を形成するパネル部材１６が連結される。第２被連結部材３９は、脚ボトム１９を形成する複数のパネル部材１６を一体に連結する。第２被連結部材３９は、各パネル部材１６の下面に連結されている。第２被連結部材３９は、前後方向に延びるとともに、左右方向に間隔をあけて一対配置されている。
【００３６】
各第２被連結部材３９は、前後方向に沿って頭側分割部４２と脚側分割部４３とに２分割されている。頭側分割部４２には、膝ボトム２０を形成するパネル部材１６が連結され、脚側分割部４３には、足ボトム２１を形成するパネル部材１６が連結される。頭側分割部４２と脚側分割部４３とは、左右方向に延びる第３回動軸４４を介して回動自在に連結されている。
【００３７】
第２可動部材４０は、脚ボトム１９に連結されており、本実施形態では、第２被連結部材３９を介して脚ボトム１９に連結されている。第２可動部材４０は、第２被連結部材３９に対して頭側Ｈに位置している。第２可動部材４０には、第２被連結部材３９の頭側Ｈの端部が連結されている。なお、第２被連結部材３９の脚側Ｆの端部は、自由端とされている。
【００３８】
第２固定部材４１は、架台本体２４に連結されており、本実施形態では、第１固定部材３４を介して架台本体２４に連結されている。第２固定部材４１は、第１固定部材３４から脚側Ｆに向けて突出している。第２固定部材４１は、左右方向に間隔をあけて一対配置されている。第２固定部材４１は、第２可動部材４０に第２回動軸２３を介して連結されている。第２回動軸２３は、寝台面１５の下方に位置して左右方向に延びている。第２回動軸２３は、左右一対、同軸に配置されている。
【００３９】
前記支持架台１２では、第１回動機構２５を介して背ボトム１８が架台本体２４に連結され、第２回動機構２６を介して脚ボトム１９が架台本体２４に連結されている。第１回動機構２５および第２回動機構２６が、前述の標準状態から背ボトム１８および脚ボトム１９を回動させることで、寝台１１は、図５に示すような、背上げおよび脚上げ（膝上げ）がされた典型的な使用状態となる。寝台１１を標準状態から使用状態にするときには、脚上げを背上げに先行して実施することで、使用者の寝台装置１０に対するずれを効果的に防止することができる。
【００４０】
図１から図５に示すように、ボード１３は、支持架台１２に固定され、寝台面１５よりも上方に立ち上がっている。ボード１３は、前後一対、備えられていて、架台本体２４の前後方向の両側の端部から立ち上がっている。
【００４１】
駆動機構１４は、背ボトム１８および脚ボトム１９（可動ボトム）を回動軸２２、２３回りに回動させる。駆動機構１４は、背ボトム１８を回動させる第１駆動機構１４ａと、脚ボトム１９を回動させる第２駆動機構１４ｂと、を備えている。
各駆動機構１４は、支持架台１２に取り付けられる。各駆動機構１４は、脚ボトム１９の下方に配置されている。各駆動機構１４は、寝台１１の下方に設けられた配置空間４５に配置される。配置空間４５は、架台本体２４におけるメインフレーム２７と脚部材２８との間に設けられている。各駆動機構１４は、当該寝台装置１０の左側または右側に向けて配置空間４５を通して露出している。
【００４２】
各駆動機構１４は、伸縮部４６と、駆動部４７と、を備えている。伸縮部４６は、前後方向に延び、前後方向に伸縮自在とされている。駆動部４７は、外部から供給される動力に基づいて伸縮部４６を伸縮させる。
各駆動機構１４は、可動ボトムである背ボトム１８または脚ボトム１９と、架台本体２４と、にそれぞれ連結されている。各駆動機構１４は、支持架台１２に設けられた前後一対のリンク機構４８、４９を介して、背ボトム１８または脚ボトム１９と、架台本体２４と、に連結されている。前後一対のリンク機構４８、４９は、各駆動機構１４の伸縮部４６の前後方向の伸縮を、背ボトム１８または脚ボトム１９の回動軸２２、２３回りの回動に変換する。
【００４３】
第１駆動機構１４ａの頭側Ｈに設けられたリンク機構４８ａは、第１駆動機構１４ａと第１可動部材３３とを連結し、第１駆動機構１４ａの脚側Ｆに設けられたリンク機構４９ａは、第１駆動機構１４ａと架台本体２４を連結している。これらの両リンク機構４８ａ、４９ａは、第１駆動機構１４ａの伸長を、背ボトム１８の第１回動軸２２回りの上側に向けた回動に変換する。
また、第２駆動機構１４ｂの頭側Ｈに設けられたリンク機構４８ｂは、第２駆動機構１４ｂと第２可動部材４０とを連結し、第２駆動機構１４ｂの脚側Ｆに設けられたリンク機構４９ｂは、第２駆動機構１４ｂと架台本体２４を連結している。これらの両リンク機構４８ｂ、４９ｂは、第２駆動機構１４ｂの収縮を、脚ボトム１９の第２回動軸２３回りの上側に向けた回動に変換する。
【００４４】
なお図示の例では、各駆動機構１４において、駆動部４７は、人の操作を動力源とする手動駆動部であり、各駆動機構１４は、手動式の駆動機構１４となっている。駆動部４７は、伸縮部４６の脚側Ｆの端部に配置され、架台本体２４から前後方向に沿う脚側Ｆに向けて突出している。これにより、駆動部４７によって背ボトム１８および脚ボトム１９を回動させるときに、操作性が確保されている。一方、駆動部４７を操作しない状態（寝台装置１０の通常の使用状態）では、例えば、駆動部４７が脚側Ｆから頭側Ｈに向けて屈曲されること等により、駆動部４７が、図１に二点鎖線で示す位置Ｐに配置されて配置空間４５内に格納され、医療従事者などの邪魔になることが抑えられる。
駆動部４７として、電力を動力源とする電動駆動部を採用することも可能である。
【００４５】
ここで本実施形態では、図６に示すように、第１可動部材３３または第１固定部材３４に角度表示部５０が設けられている。角度表示部５０は、図６および図７に示すように、第１可動部材３３および第１固定部材３４の第１回動軸２２回りの相対的な位置関係に基づいて、背ボトム１８の回動角度を表示する。角度表示部５０は、第１可動部材３３および第１固定部材３４の間で直接、回動角度を表示する。言い換えると、角度表示部５０は、第１可動部材３３および第１固定部材３４の間で、他の部材を介することなく回動角度を表示する。
【００４６】
角度表示部５０は、第１回動機構２５に設けられている。角度表示部５０は、第１可動部材３３および第１固定部材３４のうちの少なくとも一方に設けられ、図示の例では、第１可動部材３３および第１固定部材３４の両方に設けられている。角度表示部５０は、第１固定部材３４に設けられた目盛部５１と、第１可動部材３３に設けられた指示部５２と、を備えている。
【００４７】
図７に示すように、目盛部５１は、固定プレート部３８において左右方向の外側を向く外面に設けられている。目盛部５１は、第１回動軸２２回りに間隔をあけて配置された複数の目盛り線５１ａを備えている。目盛り線５１ａは、背ボトム１８の回動角度に対応している。図６に示すように、指示部５２は、可動プレート部３６の外周縁の一部によって形成されている。指示部５２は、可動プレート部３６の上端部から脚側Ｆ斜め下側に向けて直線状に延びている。指示部５２は、固定プレート部３８の目盛部５１に左右方向の外側から重なっている。
【００４８】
図７に示すように、角度表示部５０は、背ボトム１８が、前述の標準状態から所定の回動角度、第１回動軸２２の上側に向けて回動したときに、当該回動角度に対応する目盛り線５１ａ上に指示部５２を位置させて角度を指し示す。角度表示部５０は、左右方向の外側に露出しており、第１可動部材３３および第１固定部材３４それぞれの左右方向の端部の第１回動軸２２回りの相対的な位置関係に基づいて、背ボトム１８の回動角度を表示する。
【００４９】
また、第１回動機構２５には、例えばハルンバッグやウリバッグ等の医療器具を係止する係止部５３が設けられている。係止部５３は、第１固定部材３４の左右方向の端部に設けられている。図示の例では、固定プレート部３８の下端部は、可動プレート部３６の下端部よりも下方に突出していて、係止部５３は、固定プレート部３８の下端部に配置されている。係止部５３は、固定プレート部３８を左右方向に貫通する貫通孔とされている。
【００５０】
さらに図６に示すように、第１回動機構２５のうち、寝台面１５の上方に位置する部分は、規制機構５４を兼ねている。規制機構５４は、マットレスＭ（図１参照）に左右方向に対向することでマットレスＭの左右方向の移動を規制する。規制機構５４は、可動プレート部３６および固定プレート部３８それぞれの上端部によって形成されている。図８に示すように、規制機構５４は、寝台面１５における左右方向の端縁と左右方向に同等の位置に配置されている。図示の例では、可動プレート部３６および固定プレート部３８の各上端部において、左右方向の内側を向く内面が、カバー部材１７の左右方向の外側の端縁と、左右方向に同等の位置に配置されている。
【００５１】
以上説明したように、本実施形態に係る寝台装置１０によれば、第１可動部材３３および第１固定部材３４に、第１可動部材３３および第１固定部材３４の第１回動軸２２回りの相対的な位置関係に基づいて、背ボトム１８の回動角度を表示する角度表示部５０が設けられている。したがって、構造の複雑化を抑えつつ、背ボトム１８の回動角度を把握することが可能になり、多様な機能を実装することができる。
【００５２】
また、角度表示部５０が、左右方向の外側に露出しているので、角度表示部５０による背ボトム１８の回動角度の表示を、寝台装置１０に対する左右方向の外側から容易に把握することができる。
【００５３】
また、第１回動機構２５のうち、寝台面１５（寝台１１）の上方に位置する部分が、マットレスＭに左右方向に対向することでマットレスＭの左右方向の移動を規制する規制機構５４を兼ねている。したがって、構造の複雑化を抑えつつ、マットレスＭの左右方向の移動を規制することが可能になり、多様な機能を実装することができる。
さらに、規制機構５４が、寝台面１５（寝台１１）における左右方向の端縁と左右方向に同等の位置に配置されているので、マットレスＭの移動を効果的に規制することができる。
【００５４】
また、第１回動機構２５に、医療器具を係止する係止部５３が設けられているので、構造の複雑化を抑えつつ、さらに多様な機能を実装することができる。
【００５５】
なお、本発明の技術的範囲は前記実施形態に限定されるものではなく、本発明の趣旨を逸脱しない範囲において種々の変更を加えることが可能である。
【００５６】
例えば、角度表示の実現方法として、第１可動部材３３と第１固定部材３４との配置を入れ替えることも可能である。かかる場合には、例えば、第１可動部材３３の外表面に目盛部５１を、第１固定部材３４に指示部５２を設ける構成を採用することができる。これにより、角度表示部５０は、背ボトム１８が、前述の標準状態から所定の回動角度、第１回動軸２２の上側に向けて回動したときに、当該回動角度に対応する目盛り線５１ａを指示部５２の下に位置させて角度を指し示すことが可能になる。なおこの場合であっても、角度表示部５０を左右方向の外側に露出させ、第１可動部材３３および第１固定部材３４それぞれの左右方向の端部の第１回動軸２２回りの相対的な位置関係に基づいて、背ボトム１８の回動角度を表示することができる。
【００５７】
また、角度表示部５０を、第１可動部材３３や第１固定部材３４における左右方向の外側でなく内側に設けることも可能であり、左右方向の外側に露出させなくてもよい。
また、目盛り線５１ａは、第１固定部材３４または第１可動部材３３の表面を加工して刻み付けることにより表示することも可能である。
また、係止部５３がなくてもよい。
【００５８】
前記実施形態では、駆動機構１４が、脚ボトム１９の下方に配置されるが、本発明はこれに限られない。例えば、駆動機構１４が、背ボトム１８の下方に配置されてもよい。
背ボトム１８と脚ボトム１９との間に、腰ボトムが配置されていてもよい。前記腰ボトムとしては、支持架台１２に固定された構成を採用することが可能である。
【００５９】
前記実施形態では、背ボトム１８および脚ボトム１９の両方が、回動軸２２、２３回りに回動する可動ボトムとされたいわゆる２クランク（２ＡＣＴ）のギャッチベッドを採用したが、本発明はこれに限られない。例えば、背ボトム１８が回動軸２２回りに回動する１クランク（１ＡＣＴ）のギャッチベッドを採用することも可能である。
【００６０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６１】
１０   寝台装置
１１   寝台
１２   支持架台
１５   寝台面
１８   背ボトム
２２   第１回動軸（回動軸）
２５   第１回動機構（回動機構）
３３   第１可動部材（可動部材）
３４   第１固定部材（固定部材）
５０   角度表示部
５３   係止部
５４   規制機構
Ｍ     マットレス
【図１】
2017046827.tif 000003
【図２】
2017046827.tif 000004
【図３】
2017046827.tif 000005
【図４】
2017046827.tif 000006
【図５】
2017046827.tif 000007
【図６】
2017046827.tif 000008
【図７】
2017046827.tif 000009
【図８】
2017046827.tif 000010